(57)【特許請求の範囲】
【請求項１】
配列因子及び配列ウェイト情報の予め設定されたセットであり、複数の配列方式を含むセットを提供するステップと、
ユーザーが何れかの前記配列方式を選択した場合、前記ユーザーの第１の選択操作に応答して前記配列因子及び対応する配列ウェイト情報を取得するステップと、
前記配列因子及び対応する配列ウェイト情報に基づいて検索結果の配列順序を確定するステップと、
配列順序が調整された検索結果を表示するステップと、
を含み、
前記配列因子は、検索結果と検索条件との関連度、検索結果の新しさ、検索結果の出所サイトの権威性の中の少なくとも一つを含み、
前記配列方式は、関連度優先から新しさ優先への複数の配列段階と対応付けられることを特徴とする検索結果表示方法。
【請求項２】
前記配列因子及び対応する配列ウェイト情報によってそれぞれの検索結果の配列順序を確定するステップは、
前記配列因子及び対応する配列ウェイト情報に基づいて前記検索結果の配列順序と関連する計算式を配置するステップと、
前記計算式により前記検索結果の配列点数を計算するステップと、
前記配列点数を予定の順序に従って配列させ、前記検索結果の配列順序を確定するステップと、
を含み、
前記ユーザーの検索意向に時間優先の傾向があれば、発表時間が現在時間に近づくほど検索結果の配列点数が高くなり、
前記ユーザーの検索意向に関連度優先の傾向があれば、検索結果の内容と検索条件の符合度が高いほど当該検索結果の配列点数が高くなる
ことを特徴とする請求項１に記載の方法。
【請求項３】
ユーザーに選択された配列因子及び対応する配列ウェイト情報を取得した後、前記配列因子及び対応する配列ウェイト情報を記憶するステップをさらに含むことを特徴とする請求項１に記載の方法。
【請求項４】
ユーザーの入力操作に応答してユーザーにより入力された検索条件情報を取得し、記憶された前記配列因子及び対応する配列ウェイト情報に基づいて、入力された検索条件情報に基づいて取得した検索結果の配列順序を改めて確定し、表示するステップをさらに含むことを特徴とする請求項３に記載の方法。
【請求項５】
前記の配列順序が調整された検索結果を表示するステップは、配列順序が調整された検索結果をページ分割して表示するステップを含むことを特徴とする請求項１に記載の方法。
【請求項６】
ユーザーの第２の選択操作に応答して前記配列因子及び対応する配列ウェイト情報をアップデートし、アップデートした後の前記配列因子又は配列ウェイト情報によって前記検索結果の配列順序を改めて確定し、第１のページにジャンプして改めて配列した検索結果を表示するステップをさらに含むことを特徴とする請求項５に記載の方法。
【請求項７】
配列因子及び配列ウェイト情報の予め設定されたセットであり、複数の配列方式を含むセットを提供するとともに、ユーザーが何れかの前記配列方式を選択した場合、前記ユーザーの第１の選択操作に応答して前記配列因子及び対応する配列ウェイト情報を取得するための取得モジュールと、
前記配列因子及び対応する配列ウェイト情報に基づいてそれぞれの検索結果の配列順序を確定するための配列モジュールと、
配列順序が調整された検索結果を表示するための表示モジュールと、
を含み、
前記配列因子は、検索結果と検索条件との関連度、検索結果の新しさ、検索結果の出所サイトの権威性の中の少なくとも一つを含み、
前記配列方式は、関連度優先から新しさ優先への複数の配列段階と対応付けられることを特徴とする検索結果表示装置。
【請求項８】
前記配列モジュールは、
前記配列因子及び対応する配列ウェイト情報に基づいて、前記検索結果の配列順序と関連する計算式を配置するための計算式配置サブモジュールと、
前記計算式によって前記検索結果の配列点数を計算するための計算サブモジュールと、
前記配列点数を所定の順序に従って配列し、前記検索結果の配列順序を確定するための配列確定サブモジュールと、
を含み、
前記ユーザーの検索意向に時間優先の傾向があれば、発表時間が現在時間に近づくほど検索結果の配列点数が高くなり、
前記ユーザーの検索意向に関連度優先の傾向があれば、検索結果の内容と検索条件の符合度が高いほど当該検索結果の配列点数が高くなることを特徴とする請求項７に記載の装置。
【請求項９】
ユーザーに選択された配列因子及び対応する配列ウェイト情報を取得した後、前記配列因子及び対応する配列ウェイト情報を記憶する記憶モジュールをさらに含むことを特徴とする請求項８に記載の装置。
【請求項１０】
前記取得モジュールはさらにユーザーの入力操作に応答してユーザーに入力された検索条件情報を取得するために用いられ、
前記配列モジュールはさらに記憶された前記配列因子及び対応する配列ウェイト情報に基づいて、入力された検索条件情報に基づいて取得した検索結果の配列順序を改めて確定し、表示するために用いられる、
ことを特徴とする請求項９に記載の装置。
【請求項１１】
前記表示モジュールは、
配列順序が調整された検索結果をページ分割して表示するためのページ分割表示サブモジュール
を含むことを特徴とする請求項７に記載の装置。
【請求項１２】
前記取得モジュールはさらにユーザーの第２の選択操作に応答して前記配列因子及び対応する配列ウェイト情報をアップデートするために用いられ、
前記配列モジュールはさらにアップデートした後の前記配列因子又は配列ウェイト情報に基づいて前記検索結果の配列順序を改めて確定するために用いられ、
前記ページ分割表示サブモジュールはさらに第１のページにジャンプして改めて配列した検索結果を表示するために用いられる、
ことを特徴とする請求項１１に記載の装置。
【請求項１３】
請求項７から１２のいずれか１つに記載の検索結果表示装置を含むことを特徴とする検索結果表示システム。
【請求項１４】
請求項１から６のいずれか１つに記載の方法を実行するためのコンピュータプログラムを記憶するコンピュータ記憶媒体。
【請求項１５】
最低の前記配列段階において、新しさと対応するウェイトは、０に設定され、
中間の前記配列段階において、新しさに対応するウェイト、権威性に対応するウェイト、及び関連度に対応するウェイトは、０以外に設定され、
最高の前記配列段階において、関連度に対応するウェイトは、０に設定されることを特徴とする請求項１に記載の方法。
【発明の詳細な説明】
【技術分野】
【０００１】
本発明は検索技術分野に属し、特に検索結果表示方法、装置、システム及びコンピュータ記憶媒体に関する。
【背景技術】
【０００２】
異なる情報への需要の観点から見ると、ユーザーは、しばしば検索結果の表示順序に対して異なる要求を有する。例えば、ユーザーが時事ニュースを検索する時は、表示する検索結果を検索条件との関連度に従って配列させ、検索願望と適合度が高いニュース内容を優先して閲覧できるようにするだけでなく、同時に、新しいニュース内容を優先して閲覧できるようにするために、検索したニュース内容の時効性に対しても要求がある。
【０００３】
ところが、従来の検索エンジンはユーザーによる検索条件に基づいて検索結果を表示する時、通常は検索条件との関連度のみに従って検索結果を配列するが、配列方法が単一であるため、ユーザーの多様化した検索要求を満たすことができない。
【発明の概要】
【０００４】
本発明の実施例は、従来の検索エンジンが検索条件との関連度のみに従って検索結果を配列するという問題を解決する検索結果表示方法を提供することを目的とする。
【０００５】
本発明の実施例は以下のように実現する：
ユーザーの第１の選択操作に応答して配列因子及び対応する配列ウェイト情報を取得するステップと、
前記配列因子及び対応する配列ウェイト情報に基づいて検索結果の配列順序を確定するステップと、
配列順序が調整された検索結果を表示するステップと、
を含み、
前記配列因子は、検索結果と検索条件との関連度、検索結果の新しさ、検索結果の出所サイトの権威性の少なくとも一つを含み、
前記配列因子及び対応する配列ウェイト情報に基づいてそれぞれの検索結果の配列順序を確定するステップは、
前記配列因子及び対応する配列ウェイト情報に基づいて前記検索結果の配列順序と関連する計算式を配置するステップと、
前記計算式により前記検索結果の配列点数を計算するステップと、
前記配列点数を予定の順序に従って配列させ、前記検索結果の配列順序を確定するステップと、
を含む検索結果表示方法。
【０００６】
本発明の実施例は、
ユーザーの第１の選択操作に応答して配列因子及び対応する配列ウェイト情報を取得するステップと、
前記配列因子及び対応する配列ウェイト情報に基づいて検索結果の配列順序を確定するステップと、
配列順序が調整された検索結果を表示するステップと、
を含む検索結果表示方法を提供することをもう一つの目的とする。
【０００７】
本発明の実施例は、
ユーザーの第１の選択操作に応答して配列因子及び対応する配列ウェイト情報を取得するための取得モジュールと、
前記配列因子及び対応する配列ウェイト情報に基づいてそれぞれの検索結果の配列順序を確定するための配列モジュールと、
配列順序が調整された検索結果を表示するための表示モジュールと、
を含む検索結果表示装置を提供することをもう一つの目的とする。
【０００８】
本発明の実施例は、上記方法を実行するためのコンピュータプログラムが記憶されるコンピュータ記憶媒体を提供することをもう一つの目的とする。
【０００９】
本発明の実施例は、上記の検索結果表示装置を含む検索結果表示システムを提供することをもう一つの目的とする。
【００１０】
本発明の実施例において、ユーザー自身が配列因子及び対応する配列ウェイトを設定することにより、ユーザーがそれぞれの配列因子に対する重視程度に基づいて、ユーザーの検索条件に符合する検索結果を配列し、表示し、検索結果がより正確で、より柔軟的にユーザーの個別的な検索願望に適合する。
【図面の簡単な説明】
【００１１】
【図１】本発明の実施例が提供する検索結果表示方法による実現フローチャートである。
【図２】本発明の実施例の図１の検索結果表示方法においてそれぞれの検索結果の配列順序を確定するための具体的な実現によるフローチャートである。
【図３】本発明の実施例が提供する検索結果表示方法による実現フローチャートである。
【図４】本発明の実施例が提供する検索結果表示装置による構造ブロック図である。
【発明を実施するための形態】
【００１２】
本発明の目的、技術方案及び利点がより明らかのために、以下に図面及び実施例を参照しながら、さらに本発明を詳細に説明する。ここに記載された具体的な実施例は本発明を解釈するためのものに過ぎず、本発明を限定するものではないことは明らかである。
【００１３】
本発明の実施例において、ユーザー自身が設定する配列因子及び対応する配列ウェイト情報により、ユーザーがそれぞれの配列因子への重視程度によってユーザーの検索条件に符合する検索結果を配列し、表示し、より柔軟的にユーザーの個別的な検索願望に適合させる。
【００１４】
図１は本発明の実施例が提供する検索結果表示方法の実現のフローを示す。以下のとおり詳しく説明する。
【００１５】
ステップＳ１０１において、ユーザーに選択された配列因子及び対応する配列ウェイトを検出し、すなわち、ユーザーの第１の選択操作に応答してユーザーに選択された配列因子及び対応する配列ウェイト情報を取得する。
【００１６】
前記配列因子は検索結果と検索条件との関連度、検索結果の新しさ、検索結果の出所サイトの権威性の中の少なくとも一つを含むが、それに限定されるものではない。ただし、関連度は検索結果と検索条件の一致程度を表し、検索結果の新しさは含まれているインフォメーション内容の新鮮度を表し、サイト権威性は検索結果の出所サイトへの評価を表す。当該サイトの規模、アクセス量等の観点から総合的に見ると、例えばサイトの規模が大きくて毎日のアクセス量が多いサイトは比較的に高いサイト権威性を持つ。
【００１７】
本実施例において、ユーザーは自分の検索願望に適合する配列因子を選択し、選択した配列因子に対応する配列ウェイト情報を付してもよい。例えば、配列因子のウェイトを低い順に１〜５の点数でしるす。ユーザーがニュース内容を検索する時、ニュースは時効性を有し、ユーザーが一番注目するのは検索結果の新しさであると思われるため、新しさに５の配列ウェイト情報を付し、次にニュース内容と検索条件との関連度について、関連度に３の配列ウェイト情報を付し、同時に、検索結果の出所サイトの権威性を考慮する必要もあり、サイト権威性高いサイトはこの中のニュース内容が比較的高いニュース価値とニュース信頼性を持つため、サイト権威性に１の配列ウェイト情報を付す。
【００１８】
本発明の一つの実施例として、システムによりいくつかの配列因子及び配列ウェイト情報のセットが予め設定されてもよく、例えば、カスタマイズ配列に対応して、関連度優先から新しさ優先への１〜５段階の配列方式が設定される。ユーザーが第１段階を選択した時、検索結果の配列についてまったく新しさを考慮せず、すなわち新しさに対応するウェイトが０に設定される。第３段階はシステムのデフォルト配列方式であり、総合的に新しさ、関連性及び権威性等の配列因子を考慮し、これらの因子を一定程度の調和をするため、最適な配列効果が得られる。第２段階は第１段階と第３段階の間にあり、第１段階に比べて、新しさ配列因子のウェイトは高くなるが、依然として第３段階の新しさ配列因子のウェイトより低く、その関連性配列因子のウェイトは減少するが、依然として第３段階の関連性配列因子のウェイトより大きい。ユーザーが第５段階を選択した時、検索結果の配列についてまったく関連性を考慮せず、すなわち関連性に対応するウェイトが０に設定される。同様に、第４段階は第３段階と第５段階の間にあり、その新しさと関連性配列因子のいずれの配列ウェイト情報も第３段階と第５段階の間にある。
【００１９】
具体的な実現過程において、ユーザーは自分の必要に応じて一つの配列因子のみを選択してもよいし、同時に複数の配列因子を選択してもよく、これにより検索要求を柔軟に設定できる。
【００２０】
ステップＳ１０２において、前記配列因子及び対応する配列ウェイト情報に基づいてそれぞれの検索結果の配列順序を確定する。
【００２１】
ステップＳ１０３において、配列順序が調整された検索結果を表示する。
【００２２】
本実施例において、検討すべき配列因子及び対応する配列ウェイト情報を確定した後、ユーザーに選択された配列因子及び対応する配列ウェイト情報に基づいてそれぞれの検索結果の配列順序を確定し、最後に配列した検索結果をユーザーに表示してもよい。
【００２３】
具体的には、図２は本発明の実施例の図１の検索結果表示方法においてそれぞれの検索結果の配列順序を確定するための具体的な実現によるフローチャートを示し、本発明の第１の実施例のステップＳ１０２を詳細化したものである。その具体的な実現フローを以下のとおり詳しく説明する。
【００２４】
ステップＳ２０１において、前記配列因子及び対応する配列ウェイト情報に基づいて前記検索結果の配列順序と関連する計算式を配置する。
【００２５】
本実施例において、確定された前記配列因子及び対応する配列ウェイト情報に基づいて対応する計算式を配置する。例えば、ユーザーに確定された配列因子が同時に関連度、新しさ及び権威性を含む場合、当該配置操作で同時にこの三つの配列因子を加味した計算式を配置し、対応する配列ウェイト情報に基づいて当該計算式の関連パラメータを調整すし、ユーザーに確定された配列因子が関連度のみを含む場合は、配置された計算式において関連度という配列因子を加味する。
【００２６】
説明すべきことは、本発明の実施例において、配列点数を計算する計算式は異なるアルゴリズムによって多種の形式があってもよく、ここで限定されない。
【００２７】
ステップＳ２０２において、前記計算式により前記検索結果の配列点数を計算する。
【００２８】
本実施例において、配置された計算式によってそれぞれの検索結果に対して、一つの配列のための配列点数を計算し取得する。当該配列点数はそれぞれの検索結果によって異なり、例えばユーザーの検索意向に時間優先の傾向があれば、新しさが検索結果の配列点数に対して比較的に大きい影響があり、発表時間が現在時間に近づくほど検索結果配列点数が高くなり、ユーザーの検索意向に関連性優先の傾向があれば、関連性が検索結果の配列点数に対して比較的大きい影響があり、検索結果の内容と検索条件の符合度が高いほど当該検索結果の配列点数が高くなる。
【００２９】
ステップＳ２０３において、前記配列点数を予定の順序に従って配列させ、前記検索結果の配列順序を確定する。例えば、配列点数が高い順に従ってそれぞれの検索結果の配列順序を確定する。
【００３０】
本実施例において、ユーザー自身で配列因子及び対応する配列ウェイト情報を設定することによって、ユーザーの検索条件に該当する検索結果をユーザーにより設定された配列因子及び対応する配列ウェイト情報に基づいて配列、表示することができ、柔軟的にユーザーの個別的な検索願望に適合させる。
【００３１】
図３は本発明の実施例が提供する検索結果の表示方法による実現フローを示す。以下に詳しく説明する。
【００３２】
ステップＳ３０１において、ユーザーに選択された配列因子及び対応する配列ウェイト情報を取得した後、前記配列因子及び対応する配列ウェイト情報を記憶する。
【００３３】
ステップＳ３０２において、ユーザーの入力操作に応答してユーザーに入力された検索条件情報を取得し、記憶された前記配列因子及び対応する配列ウェイト情報に基づいて、入力された検索条件情報に基づいて取得した検索結果の配列順序を改めて確定し、表示する。
【００３４】
本実施例において、ステップＳ１０１で検出された、ユーザーに選択された配列因子及び対応する配列ウェイト情報をキャッシュに記憶し、次にユーザーが検索条件を入力する時、ユーザーが配列因子又は配列ウェイト情報を変更したことが検出されなければ、キャッシュから記憶された配列因子及び対応する配列ウェイト情報を直接に呼び出して検索結果を配列、表示し、検索結果表示フローが簡易化され、ユーザーの検索効率を向上させる。
【００３５】
本発明の一つの実施例として、図１の検索結果表示方法において前記の配列順序が調整された検索結果を表示するステップにはページ分割して配列順序が調整された検索結果を表示する、すなわち、検索結果を表示している時に検索結果をページ分割して表示するステップを含む。
【００３６】
また、本実施例の方法は以下のステップをさらに含む：ユーザーの第２の選択操作に応答して前記配列因子及び対応する配列ウェイト情報をアップデートするステップと、アップデートした後の前記配列因子又は配列ウェイト情報に基づいて前記検索結果の配列順序を改めて確定するステップと、第１のページにジャンプして改めて配列した検索結果を表示するステップ、すなわち、ユーザーが配列因子又は配列ウェイト情報を変更したことを検出した時、ステップＳ１０２を改めて実行し、変更された配列因子又は配列ウェイト情報に基づいてそれぞれの検索結果の配列順序を改めて確定し、この時にユーザーが第２のページ又はその後の検索結果をすでに閲覧している場合は、ページが自動的に検索結果ページの第１のページにジャンプし、最初から改めて配列した検索結果を表示する。
【００３７】
図４は本発明の実施例が提供する検索結果表示装置による構造を示す。説明の便宜上、本実施例と関連する部分のみを示す。
【００３８】
図４に示すように、当該検索結果表示装置はニュース検索システム、ウェブ検索システム等の検索システムに設けられていてもよく、具体的には、取得モジュール４１と、配列モジュール４２と、表示モジュール４３とを含む。
【００３９】
取得モジュール４１はユーザーに選択された配列因子及び対応する配列ウェイト情報を検出するために用いられ、すなわち、取得モジュール４１はユーザーの第１の選択操作に応答してユーザーに選択された配列因子及び対応する配列ウェイト情報を取得するために用いられる。
【００４０】
配列モジュール４２は、前記配列因子及び対応する配列ウェイト情報に基づいてそれぞれの検索結果の配列順序を確定するために用いられる。
【００４１】
表示モジュール４３は、配列順序が調整された検索結果を表示するために用いられる。
【００４２】
さらに、配列モジュール４２は、計算式配置サブモジュール４２１と、計算サブモジュール４２２と、配列確定サブモジュール４２３とを含む。
【００４３】
計算式配置サブモジュール４２１は、前記配列因子及び対応する配列ウェイト情報に基づいて前記検索結果の配列順序と関連する計算式を配置するために用いられる。
【００４４】
計算サブモジュール４２２は前記計算式によって前記検索結果の配列点数を計算するために用いられる。
【００４５】
配列確定サブモジュール４２３は前記配列点数を予定の順序に従って配列し、前記検索結果の配列順序を確定するために用いられ、例えば、配列点数が高い順にそれぞれの検索結果の配列順序を確定する。
【００４６】
本発明の一つの実施例として、当該検索結果表示装置は記憶モジュール４４をさらに含む。
【００４７】
記憶モジュール４４はユーザーに選択された配列因子及び対応する配列ウェイト情報を取得した後、前記配列因子及び対応する配列ウェイト情報を記憶し、これによりユーザーが次の検索条件を入力する時、配列モジュール４２は記憶モジュール４４で記憶された前記配列因子及び対応する配列ウェイト情報に基づいてそれぞれの検索結果の配列順序を直接に確定するために用いられてもよく、すなわち、前記取得モジュールはさらにユーザーの入力操作に応答してユーザーに入力された検索条件情報を取得するために用いられ、前記配列モジュールはさらに記憶された前記配列因子及び対応する配列ウェイト情報に基づいて、入力された検索条件情報に基づいて取得した検索結果の配列順序を改めて確定し、表示するために用いられる。
【００４８】
本発明のもう一つの実施例として、表示モジュール４３はページ分割表示サブモジュール４３１を含む。ページ分割表示サブモジュール４３１は配列した検索結果をページ分割で表示するために用いられる。
【００４９】
前記取得モジュールは、さらに、ユーザーの第２の選択操作に応答して前記配列因子及び対応する配列ウェイト情報をアップデートするために用いられる。前記配列モジュールは、さらに、アップデートした後の前記配列因子又は配列ウェイト情報に基づいて前記検索結果の配列順序を改めて確定するために用いられる。前記ページ分割表示サブモジュールは、さらに、第１のページにジャンプして改めて配列した検索結果を表示するために用いられる。
【００５０】
具体的には、ページ分割して検索結果を表示する時、ユーザーが配列因子又は配列ウェイト情報が変更されたことを検出したとき、配列モジュール４２は変更された配列因子又は配列ウェイト情報に基づいてそれぞれの検索結果の配列順序を改めて確定し、ページ分割表示サブモジュール４３１によって自動的に第１のページにジャンプして改めて配列した検索結果を表示する。
【００５１】
本発明の実施例の検索結果表示システムは上述の検索結果表示装置を含む。
【００５２】
本発明の実施例において、ユーザー自身が配列因子及び対応する配列ウェイトを設定することにより、ユーザーがそれぞれの配列因子への重視程度によってユーザーの検索条件に適合する検索結果を配列、表示することができ、より柔軟的にユーザーの個別的な検索願望に適合する。
【００５３】
本発明の実施例のコンピュータ記憶媒体にはコンピュータプログラムが記憶され、当該コンピュータプログラムは上述の検索結果表示方法を実行するためのものであり、すなわち、当該コンピュータプログラムはコンピュータで実行可能な、検索結果を表示するための機能がある指令プログラムであり、当該機能は、
ユーザーの第１の選択操作に応答してユーザーに選択された配列因子及び対応する配列ウェイト情報を取得する機能と、
前記配列因子及び対応する配列ウェイト情報に基づいて検索結果の配列順序を確定する機能と、
配列順序が調整された検索結果を表示する機能と、
を含む。
【００５４】
ひとつの改善として、前記機能は、さらに、
前記配列因子は検索結果と検索条件との関連度、検索結果の新しさ、検索結果の出所サイトの権威性の中の少なくとも一つを含む機能、
を含んでもよい。
【００５５】
もう一つの改善として、前記機能は、さらに、
前記の配列因子及び対応する配列ウェイト情報に基づいてそれぞれの検索結果の配列順序を確定するステップは、
前記配列因子及び対応する配列ウェイト情報に基づいて前記検索結果の配列順序と関連する計算式を配置するステップと、
前記計算式によって前記検索結果の配列点数を計算するステップと
前記配列点数を予定の順序に従って配列し、前記検索結果の配列順序を確定するステップと、
を含む機能、
を含んでもよい。
【００５６】
もう一つの改善として、前記機能は、さらに、
ユーザーに選択された配列因子及び対応する配列ウェイト情報を取得した後、前記配列因子及び対応する配列ウェイト情報を記憶する機能
を含んでもよい。
【００５７】
もう一つの改善として、前記機能は、さらに、
ユーザーの入力操作に応答してユーザーに入力された検索条件情報を取得し、記憶された前記配列因子及び対応する配列ウェイト情報に基づいて入力された検索条件情報に基づいて取得した検索結果の配列順序を改めて確定し、表示する機能
を含んでもよい。
【００５８】
もう一つの改善として、前記配列順序が調整された検索結果を表示する機能は、
配列順序が調整された検索結果をページ分割して表示する機能
を含む。
【００５９】
もう一つの改善として、前記機能は、さらに、
ユーザーの第２の選択操作に応答して前記配列因子及び対応する配列ウェイト情報をアップデートし、アップデートした後の前記配列因子又は配列ウェイト情報に基づいて前記検索結果の配列順序を改めて確定し、第１のページにジャンプして改めて配列した検索結果を表示する機能
含んでもよい。
【００６０】
以上の記載は本発明の好ましい実施例に過ぎず、本発明を限定するために用いられるものではない。本発明の精神と原則の範囲内のすべての変更、均等な置換、改善等は本発明の保護範囲に含まれる。
【図１】
0005820935.tif 000002
【図２】
0005820935.tif 000003
【図３】
0005820935.tif 000004
【図４】
0005820935.tif 000005